(57)【要約】【課題】  家電器具の使用中にスライド棚を格納した際における安全性を確保しながら、家電器具の電子部品の劣化や損傷を回避する。収納庫内の温度が常温に戻る時間を短縮する。【解決手段】  家電器具１を載置するスライド棚２と、該スライド棚２を引き出し格納自在に格納する収納部３と、収納部３内に備えた家電器具１に電力を供給する給電部４と、家電器具１への通電を開閉する通電開閉手段５を備えている。スライド棚２を格納した時、家電器具１への通電を維持するか、もしくはスライド棚２を格納した時点から遅延させて家電器具１への通電遮断をおこなう制御手段６を備える。【選択図】        図１
2010131189.tif 000002
【特許請求の範囲】
【請求項１】
家電器具を載置するスライド棚と、該スライド棚を引き出し格納自在に格納する収納部と、収納部内に備えた家電器具に電力を供給する給電部と、家電器具への通電を開閉する通電開閉手段と、スライド棚の格納を検知するスライド棚格納検知手段とを備え、スライド棚格納検知手段でスライド棚の格納を検知した時、家電器具への通電を維持するか、もしくはスライド棚を格納した時点から遅延させて家電器具への通電遮断をおこなう制御手段を備えたことを特徴とする家電器具収納庫。
【請求項２】
家電器具の運転状態を検出するか、もしくは収納部内の温度を検出するか、もしくは前記両方を検出判断する使用状態検出手段を設け、該使用状態検出手段による検出結果に基づいて、前述の通電遮断を遅延するタイミングが決められることを特徴とする請求項１記載の家電器具収納庫。
【請求項３】
使用状態検出手段が家電器具の運転電流を検出するものであることを特徴とする請求項２記載の家電器具収納庫。
【請求項４】
使用状態検出手段が収納部内の雰囲気温度もしくは家電器具の温度を検出するものであることを特徴とする請求項２又は請求項３記載の家電器具収納庫。
【請求項５】
家電器具の運転状態と相関した電流値が、高低微もしくは高低零あるいは高零であることを判別し、高以外の運転状態である場合に、スライド棚を格納した際に、前記の運転状態を継続させるように前記遅延時間が決定されることを特徴とする請求項１乃至請求項４のいずれか一項に記載の家電器具収納庫。
【請求項６】
収納部の排気をするための排気ファンを設け、スライド棚を格納した時点における収納部内の温度により、排気ファンを運転停止させることを特徴とする請求項１乃至請求項５のいずれか一項に記載の家電器具収納庫。
【請求項７】
スライド棚を格納後、家電器具への通電遮断をした時点で、通電遮断を報知することを特徴とする請求項１乃至請求項６のいずれか一項に記載の家電器具収納庫。
【請求項８】
スライド棚を格納後に給電部の通電を遮断した場合に、再びスライド棚を引き出した時点で、通電遮断状態を報知することを特徴とする請求項１乃至請求項７のいずれか一項に記載の家電器具収納庫。
【請求項９】
スライド棚格納検知手段が、スライド棚の位置を検出する手段であることを特徴とする請求項１乃至請求項８のいずれか一項に記載の家電器具収納庫。
【請求項１０】
スライド棚格納検知手段が、スライド棚が格納された状態の家電器具の存在を検知する手段であることを特徴とする請求項１乃至請求項９のいずれか一項に記載の家電器具収納庫。
【発明の詳細な説明】
【技術分野】
【０００１】
本発明は、電子レンジやオーブントースター等の家電器具を収納する家電器具収納庫に関するものである。
【背景技術】
【０００２】
従来から、電子レンジやオーブントースター等の発熱機能を備えた家電器具を収納する家電器具収納庫が特許文献１により知られている。
【０００３】
この特許文献１に示された家電器具収納庫は、家電器具を載置するスライド棚と、該スライド棚を引き出し格納自在に格納する収納部と、収納部内に備えた家電器具に電力を供給するコンセントと、家電器具への通電を開閉する通電開閉手段を備えてある。
【０００４】
そして、上記特許文献１における通電開閉手段は、スライド棚を引き出した時にリミットスイッチがオンとなってコンセントに通電され、スライド棚を格納すると同時にリミットスイッチがオフとなってコンセントへの通電を遮断するようになっている。
【０００５】
しかしながら、上記従来例にあっては、スライド棚を格納すると同時にリミットスイッチがオフとなってコンセントへの通電を遮断するものであるから、以下のような問題点がある。
【０００６】
例えば、家電器具の運転状態が加熱運転中（例えば使用電力が１０００Ｗで加熱運転中）に、スライド棚を格納すると同時に家電器具への通電を遮断した場合、スライド棚を格納した直後にスライド棚を再び引き出すと、短時間で大電流の入り切りが行われ、突入電流が生じたり、家電器具や家電器具収納庫の通電開閉手段の回路開閉手段においてハンチングが生じ、家電器具や家電器具収納庫の通電開閉手段の電気回路部品へのダメージが大きく、耐久性に劣るものとなる。
【０００７】
また、家電器具の運転状態が加熱運転を終えた後の冷却用ファンの運転中に、スライド棚を格納すると同時に家電器具への通電を遮断するので、冷却用ファンの運転も即時停止し、家電器具内の廃熱冷却が行われず、電気器具の電気部品にダメージを与える等の重大な弊害をもたらすものとなる。また、収納部内の廃熱冷却にも時間がかかり、周囲の収納部品への熱影響が大きく、家電器具収納庫全体の使い勝手がきわめて劣るものである。
【特許文献１】特開平９−１９１９５７号公報
【発明の開示】
【発明が解決しようとする課題】
【０００８】
本発明は上記の従来の問題点に鑑みて発明したものであって、家電器具の使用中にスライド棚を格納した際における安全性を確保しながら、家電器具の電子部品の劣化や損傷を回避し、また、収納庫内の温度が常温に戻る時間を短縮できる家電器具収納庫を提供することを課題とするものである。
【課題を解決するための手段】
【０００９】
本発明に係る家電器具収納庫は、家電器具１を載置するスライド棚２と、該スライド棚２を引き出し格納自在に格納する収納部３と、収納部３内に備えた家電器具１に電力を供給する給電部４と、家電器具１への通電を開閉する通電開閉手段５と、スライド棚の格納を検知するスライド棚格納検知手段とを備え、そして、本発明の特徴は、スライド棚格納検知手段でスライド棚２の格納を検知した時、家電器具１への通電を維持するか、もしくはスライド棚２を格納した時点から遅延させて家電器具１への通電遮断をおこなう制御手段６を備えたことである。
【００１０】
このような構成とすることで、家電器具１の加熱運転中にスライド棚２を格納し、格納後直ぐにスライド棚２を引き出して、スライド棚２を格納した直後は家電器具１への通電が遮断されていないので、高電力での加熱運転中における強制停止と、加熱運転開始を短時間に繰り返すことがなく、短時間における大電流の入り切りが行われることによる突入電流の発生や、ハンチングの発生を回避できる。しかも、スライド棚２を格納した時点から遅延して家電器具１への通電遮断が行われるので、家電器具１の使用中にスライド棚２を格納した際の安全性を確保できる。
【００１１】
また、家電器具１の運転状態を検出するか、もしくは収納部３内の温度を検出するか、もしくは前記両方を検出判断する使用状態検出手段７を設け、該使用状態検出手段７による検出結果に基づいて、前述の通電遮断を遅延するタイミングが決められることが好ましい。
【００１２】
家電器具１の使用状態もしくは収納部３内の温度状態に応じた最も好ましい通電遮断のタイミングを決めることができる。
【００１３】
また、使用状態検出手段７が家電器具１の運転電流を検出するものであることが好ましい。
【００１４】
このような構成とすることで、家電器具１に供給する電流（電力）を検出することで、簡単且つ確実に家電器具１の運転状態を検出して家電器具１の運転状態に応じた最も好ましい通電遮断のタイミングを決めることができる。
【００１５】
また、使用状態検出手段７が収納部３内の雰囲気温度もしくは家電器具１の温度を検出するものであることが好ましい。
【００１６】
このような構成とすることで、温度を検出することで、簡単且つ確実に家電器具１の運転状態を検出して家電器具１の運転状態に応じた最も好ましい通電遮断のタイミングを決めることができる。
【００１７】
また、家電器具１の運転状態と相関した電流値が、高低微もしくは高低零あるいは高零であることを判別し、高以外の運転状態である場合に、スライド棚２を格納した際に、前記の運転状態を継続させるように前記遅延時間が決定されることが好ましい。
【００１８】
このような構成とすることで、スライド棚２を格納した際に家電器具１が高以外の運転状態であれば、高以外の運転状態を継続し、家電器具１の温度を低下させることができる。
【００１９】
また、収納部３の排気をするための排気ファン８を設け、スライド棚２を格納した時点における収納部３内の温度により、排気ファン８を運転停止させることが好ましい。
【００２０】
このような構成とすることで、スライド棚２を格納した時点で収納部３内の温度が所定温度より高い場合は、排気ファン８を運転して収納部３内の温度を素早く低下させることができ、一方、スライド棚２を格納した時点で収納部３内の温度よりも低い場合は、排気ファン８の運転を行わず、排気ファン８の不必要な運転をしないようにする。
【００２１】
また、スライド棚２を格納後、家電器具１への通電遮断をした時点で、通電遮断を報知することが好ましい。
【００２２】
このような構成とすることで、通電遮断によりスライド棚２を引き出した時点で”電気器具１が使えない”状態であることを報知できる。
【００２３】
また、スライド棚２を格納後に給電部４の通電を遮断した場合に、再びスライド棚２を引き出した時点で、通電遮断状態を報知することが好ましい。
【００２４】
このような構成とすることで、スライド棚２を引き出して、家電器具１を使用再開する場合に、通電復帰を促すとともに、直前までの通電遮断による調理中断失敗等に対する注意喚起としての報知ができる。
【００２５】
また、スライド棚格納検知手段が、スライド棚２の位置を検出する手段であることが好ましい。
【００２６】
このような構成とすることで、スライド棚２の移動をいち早く検出でき、高温の家電器具１が、収納部３内に移動したことを早く検知できる。
【００２７】
また、スライド棚格納検知手段が、スライド棚２が格納された状態の家電器具１の存在を検知する手段であることが好ましい。
【００２８】
このような構成とすることで、スライド棚２上に家電器具１を含めた物品が無ければ、通電を検知しても収納部３内は安全であると認識し、通電遮断することなく給電部４を使用できる。
【発明の効果】
【００２９】
本発明は、上記のように、通電開閉手段による家電器具への通電の開閉が、スライド棚を格納した時、家電器具への通電を維持するか、もしくはスライド棚を格納した時点から遅延させて家電器具への通電遮断をおこなうので、家電器具の使用中にスライド棚を格納した際における安全性を確保しながら、短時間における大電流の入り切りが行われることによる突入電流の発生や、家電器具や家電器具収納庫の通電開閉手段の回路開閉手段においてハンチングを回避し、家電器具や家電器具収納庫の通電開閉手段の電気回路部品へのダメージを防ぎ、耐久性に優れ、しかも、家電器具の加熱運転時に、うっかりスライド棚を格納し、直ちにスライド棚を引き出した等の場合にも、通電遮断を遅延させることによって、加熱調理はそのまま継続され、調理の中断失敗がなく、使い勝手上、極めて好適である。
【００３０】
また、家電器具の運転状態を検出するか、もしくは収納部内の温度を検出するか、もしくは前記両方を検出判断する使用状態検出手段を設け、該使用状態検出手段による検出結果に基づいて、前述の遅延して行われる家電器具への通電遮断のタイミングが決められるようにすることで、遅延して行われる家電器具の通電遮断のタイミングを、家電器具の使用状態や収納部内の温度に応じた最も好ましい時点とすることができる。
【００３１】
また、使用状態検出手段が家電器具の運転電流を検出するものであると、電流を検出することで簡単且つ確実に家電器具の運転状態に応じた最も好ましい通電遮断のタイミングを決めることができる。
【００３２】
また、使用状態検出手段が温度を検出するものであると、温度を検出することで、簡単且つ確実に家電器具の運転状態に応じた最も好ましい通電遮断のタイミングを決めることができる。
【００３３】
また、家電器具の運転状態と相関した電流値が、高低微もしくは高低零あるいは高零であることを判別し、高以外の運転状態である場合に、スライド棚を格納した際に、前記の運転状態を継続させるように前記遅延時間が決定されるものにおいては、スライド棚を格納した際に高以外の運転状態であれば、高以外の運転状態を継続して、家電器具の温度及び収納部内の温度を早く低下させることができ、より安全性を向上できると共に使い勝手も向上できる。
【００３４】
また、収納部の排気をするための排気ファンを設け、スライド棚を格納した時点における収納部内の温度により、排気ファンを運転停止させるものにおいては、スライド棚を格納した時点で収納部３内の温度が所定温度より高い場合は、排気ファンを運転して収納部内の温度を素早く低下させることができ、一方、スライド棚を格納した時点で収納部内の温度よりも低い場合は、排気ファンの運転を行わず、排気ファンの不必要な運転せず、使い勝手を向上できる。
【００３５】
また、スライド棚を格納後、家電器具への通電遮断をした時点で、通電遮断を報知するようにしたものにおいては、通電遮断によりスライド棚を引き出した時点で”電気器具が使えない”状態であることを報知して、「通電なしの状態」であるにもかかわらず、調理作業に入ることを回避できる。
【００３６】
また、スライド棚を格納した後に給電部の通電を遮断した場合に、再びスライド棚２を引き出した時点で、通電遮断状態を報知するものにおいては、スライド棚を引き出して、家電器具を使用再開する場合に、通電復帰を促すとともに、直前までの通電遮断による調理中断失敗等に対する注意喚起としての報知ができ、より利便性が高く好適である。
【００３７】
また、スライド棚格納検知手段が、スライド棚の位置を検出する手段であるものにおいては、スライド棚の移動をいち早く検出して、高温の家電器具が、収納部内に移動したことを早く検知できる。
【００３８】
また、スライド棚格納検知手段が、スライド棚が格納された状態の家電器具の存在を検知する手段であるものにおいては、スライド棚上に家電器具を含めた物品が無ければ、通電を検知しても収納部内は安全であると認識し、通電遮断することなく給電部を使用でき、使い勝手が向上できる。
【発明を実施するための最良の形態】
【００３９】
以下、本発明を添付図面に示す実施形態に基いて説明する。
【００４０】
図１には本発明の家電器具収納庫９の概略構成図を示し、図２には制御ブロック図を示している。
【００４１】
家電器具収納庫９には、家電器具１を載置するスライド棚２と、該スライド棚２を引き出し格納自在に格納する収納部３と、スライド棚２の格納を検知するスライド棚格納検知手段と、収納部３内に備えた家電器具１に電力を供給するための給電部４（代表的なものとしてコンセント）と、収納部３内の排気をするための排気ファン８を備えた通気構造を有している。
【００４２】
また、家電器具収納庫９には更に、家電器具１の運転状態を検出するための使用状態検出手段７と、家電器具１への通電を遮断する通電開閉手段５と、制御手段６とが設けてある。
【００４３】
収納部３の底部にはスライドレール１５が設けてあり、該スライドレール１５を介してスライド棚２が収納部３に対して移動自在となっており、これによりスライド棚２が収納部３から引き出され、且つ、収納部３内に格納される。
【００４４】
本発明においては、スライド棚２の格納を検知するスライド棚格納検知手段は、更にスライド棚の引き出しを検知する機能を併せもったスライド棚格納・引き出し検知手段として構成してある。以下の説明では、スライド棚格納検知手段を、スライド棚格納・引き出し検知手段を例にして説明する。
【００４５】
添付図面に示す実施形態では、格納・引き出し検知手段は、スライド棚位置検知手段１１によりスライド棚の位置を検知することで格納、引き出しを検知するように構成してある。図７にはスライド棚位置検知手段１１の一実施形態が示してあり、スライド棚２の前部と後部にそれぞれ第１磁石１１ａ、第２磁石１１ｂを設け、収納部３の上記スライド棚２の移動範囲の前部に第１磁気スイッチ１１ｃ、第２磁気スイッチ１１ｄを設けることでスライド棚位置検知手段１１を構成している例である。
【００４６】
本実施形態においては、スライド棚２を収納部３内に格納すると第１磁石１１ａが第１磁気スイッチ１１ｃに近接して第１磁気スイッチ１１ｃを作動することで格納状態を検出し、スライド棚２を収納部３から引き出すと第１磁石１１ａが第１磁気スイッチ１１ｃから離れ、第２磁石１１ｂが第２磁気スイッチ１１ｄに近接して第２磁気スイッチ１１ｄが作動することで引き出し状態を検出するようになっている。
【００４７】
図７に示す実施形態では、スライド棚位置検知手段１１によるスライド棚２の位置検出をスライド方向の２箇所でおこなうように構成してある。そして、この実施形態においては、完全格納状態、完全引き出し状態を検出できるだけでなく、図７のように第２磁石１１ｂが第２磁気スイッチ１１ｄに近接して第２磁気スイッチ１１ｄをオンにしている状態から、スライド棚２を格納方向に移動させることで第２磁石１１ｂが第２磁気スイッチ１１ｄから離れてオフになると、つまり、格納方向への移動の途中位置であっても、「スライド棚２の格納」とみなし、格納を検知したと認識させ、後述の制御を実行させるようにしてもよい。この場合は、格納の途中であっても、素早く後述の制御に以降でき、また、完全にスライド棚２を格納していない場合でも後述の制御を実行することができる。
【００４８】
また、図７のように、スライド棚２を完全に収納部３に格納された状態と完全に引き出された位置で磁気スイッチや磁石が近接する例にのみ限定されず、スライド棚２を完全に収納部３に格納された状態と完全に引き出された状態との間の中間の任意の位置で、上記格納や引き出しを検出するようにしてもよい。例えば、スライド棚２が半分だけ格納されたことを検知して、格納とみなすようにしてもよい。
【００４９】
使用状態検出手段７はスライド棚２を格納した時点における家電器具１が複数の運転段階のうちのどの段階であるかを検出するためのものである。使用状態検出手段７としては、例えば、家電器具１に供給する電流（電力）を検出する通電電流（電力）検出手段１２や、収納部３内の温度もしくは家電器具１の温度（表面温度）を検出する温度検出手段１３や、収納部３内に家電器具１等の収納物が存在するか否かを検出するための近接センサなどの収納物検出手段１０があり、使用状態検出手段７としては、例えば、通電電流（電力）検出手段１２と温度検出手段１３と収納物検出手段１０を用いる場合と、通電電流（電力）検出手段１２と収納物検出手段１０を用いる場合と、温度検出手段１３と収納物検出手段１０を用いる場合と、通電電流（電力）検出手段１２と温度検出手段１３を用いる場合と、通電電流（電力）検出手段１２又は温度検出手段１３又は収納物検出手段１０のいずれか一つを用いる場合とがある。
【００５０】
図１に示す実施形態では、温度検出手段１３は、家電器具１の表面温度を検出する赤外線による物体表面温度検出センサにより構成してある。該家電器具１の表面温度を検出するための温度検出手段１３は収納部３の天井部に設けてあり、スライド棚２を格納した状態、引き出した状態のいずれの場合も、該収納部３の天井部に設けた温度検出手段１３によりスライド棚２上に載置してある家電器具１の表面温度を検出できるように、その検出エリアを設定してある。
【００５１】
上記通電電流（電力）検出手段１２は、例えば給電部４であるコンセントのコンセント回路でスライド棚２の引き出し・格納前後の電流（電力）を検知する。
【００５２】
スライド棚２に載置されて収納部３に収納される家電器具１とは電子レンジやオーブントースター等の加熱機能を備えたものである。
【００５３】
上記スライド棚２に載置して家電器具収納庫９の収納部３内に収納している家電器具１の使用に当たっては、スライド棚２を引き出して家電器具１に通電して家電器具１を使用する。また、家電器具１の非使用時にはスライド棚２を格納して、家電器具１が収納部３内に収納されるようにしている。
【００５４】
ここで、本発明においては、スライド棚２を格納した時、家電器具１の運転状態により家電器具１への通電を維持するか、もしくは、家電器具１への通電遮断をスライド棚２を格納した時点から遅延して行われるように、通電開閉手段５を制御手段６により制御するようになっている。
【００５５】
このようにして行われる通電開閉手段５による家電器具１への通電の開閉制御は使用状態検出手段７による家電器具１の運転状態の検出結果により決定される。
【００５６】
図３乃至図６には具体的制御例の一実施形態が示してある。本実施形態においては、冷却用ファン１４を備えた家電器具１が、加熱運転状態、保温／冷却状態、待機状態、切・通電なし状態を有している場合の例である。ここで、本実施形態においては、保温／冷却状態、待機状態はいずれも非加熱運転状態である。
【００５７】
本例においては、加熱運転状態の際の電力Ｗｈが例えば０００Ｗ、保温／冷却状態の際の電力Ｗｍが例えば２０Ｗ、待機状態の電力Ｗｌが例えば２Ｗ、切・通電なし状態の際の電力Ｗｏが０Ｗの場合である。
【００５８】
つまり、本例においては、家電器具１の運転状態と相関した電流値が、加熱運転状態では「高」、保温／冷却状態では「低」、待機状態では「微」、切・通電なし状態では「零」である。
【００５９】
図３には本実施形態の基本制御の制御フロー図が示してある。
【００６０】
図３に示すように、通電電流（電力）検出手段１２による家電器具２への通電電流（電力）の電流値を常時監視して状態監視をおこなうようになっており、電流値の検知に基づいて家電器具１の状態判断が行われる。ここで、上記状態判断（例えば、上記のように、加熱運転状態、保温／冷却状態、待機状態、切・通電なし状態（つまり電流値が高、低、微、零）の認識は、家電器具１により異なる値であるため、このように段階があることを制御手段６は学習記憶して上記複数段階のどの段階であるかを認識するようになっている。
【００６１】
そして、使用開始時に、上記電流値が「高」、「低」、「微」、「零」のいずれであっても、温度検出手段１３により収納部３内の温度もしくは家電器具１の温度が「高」と検知されると、スライド棚２の位置が「引き出し」、「格納」、あるいは「中間位置」のいずれであるかにかかわらず、また、収納物検出手段１０による収納物の検知の有無にかかわらず、排気ファン８をオンにし、通電開閉手段５により通電遮断を行い、後述の報知手段１６により通電遮断を報知するようになっている。つまり、使用開始時に、収納部３内の温度もしくは家電器具１の温度が「高」と検知されれば、いかなるモードであっても安全制御に移って、即時通電遮断するようになっている。
【００６２】
また、使用開始時に電流値が「高」と検知され、収納部３内の温度もしくは家電器具１の表面温度が「中（〜Ｔ１）」、「低（〜Ｔ０）」、「室温」のいずれかであると検知された場合は、スライド棚２の位置が「引き出し」、「格納」、あるいは「中間位置」のいずれであるかにかかわらず、収納物が「有」と検知されると通常運転となる。また、収納物が「無」と検知されると、家電器具収納庫９以外の所に設置した家電器具１の電源として家電器具収納庫９に設けた給電部４を使用しているとみなす。
【００６３】
また、軽負荷使用時に電流値が「低」、「微」、「零」のいずれかであると検知され、収納部３内の温度もしくは家電器具１の表面温度が「中（〜Ｔ１）」、「低（〜Ｔ０）」、「室温」のいずれかであると検知された場合は、スライド棚２の位置が「引き出し」、「格納」、あるいは「中間位置」のいずれであるかにかかわらず、収納物が「有」と検知されると保温等の軽負荷運転であるとみなし、また、収納物が「無」と検知されると、家電器具収納庫９以外の所に設置した家電器具１の電源として家電器具収納庫９に設けた給電部４を使用しているとみなす。
【００６４】
図３の制御フローにおいて、通常運転時に、電流値が「高」と検知され、収納部３内の温度もしくは家電器具１の表面温度が「高」と検知され、スライド棚２が「格納」と検知され、収納物が「有」と検知されると、排気ファン８をオンにし、通電開閉手段５により通電遮断を行い、後述の報知手段１６により通電遮断を報知する。この場合、排気ファン８は、収納部３内の温度もしくは家電器具１の表面温度が安全温度（例えばＴ０）になるとオフにする。
【００６５】
一方、通常運転時に、電流値が「低」、「微」、「零」のいずれかであると検知され、収納部３内の温度もしくは家電家具１の表面温度が「中（〜Ｔ１）」、「低（〜Ｔ０）」、「室温」のいずれかであると検知され、スライド棚２が「格納」と検知され、収納物が「有」と検知されると、使用者によるスライド棚２の格納動作であると検出し、終了制御に移行する。
【００６６】
終了制御に移行した場合、収納部３内の温度もしくは家電器具１の表面温度が一時的に「高」となる場合がある。
【００６７】
このように、終了制御において、収納部３内の温度もしくは家電器具１の表面温度が「高」と検知されると、排気ファン８をオンにし、また、この終了制御において、収納部３内の温度もしくは家電器具１の表面温度が「中（〜Ｔ１）」、「低（〜）Ｔ０」、「室温」のいずれかであると検知されると、排気ファン８をオフにし、通電遮断をするか、もしくは、通電遮断をすることなく使用開始時に戻る。
【００６８】
図４には、図３に示す制御フローにおける通常運転時に、家電器具１に通電して１０００Ｗで加熱運転状態中にスライド棚２を格納した場合のタイムチャートが示してある。
【００６９】
すなわち、通常運転時に、家電器具１が加熱運転のまま該加熱運転中の家電器具１を載置したスライド棚２を収納部３に格納すると、格納した時点における電流値が「高」（つまり家電器具１の運転状態が加熱運転状態）であると検出される。このように格納した時点における電流値が「高」であると検出されると、収納部３内の温度もしくは家電器具１の表面温度（図３の実線においては家電器具１の表面温度）が「高」（例えばＴ１以上）であると検出され、この場合は、図４の実線に示すように格納した時点から所定時間ｔ１遅延させて、給電部４から家電器具１への通電を通電開閉手段５で強制的に遮断するように制御する。
【００７０】
このように、家電器具１の加熱運転状態時にスライド棚２を格納した際に、家電器具１への通電遮断がスライド棚２を格納した時点から遅延して行われるように制御することで、家電器具１の加熱運転状態中にスライド棚２を格納した直後に、スライド棚２を引き出しても、上記のようにスライド棚２を格納した直後は家電器具１への通電が遮断されていないので、高電力での加熱運転中における強制停止と、加熱運転開始を短時間に繰り返すことがなく、家電器具１の電子部品にストレスがかかるのを回避することができる。
【００７１】
また、加熱運転状態の家電器具１を載置したスライド棚２を格納すると、家電器具１の表面温度がある設定温度Ｔ１を超えているので、図４に示すように、スライド棚２を格納すると同時に排気ファン８の運転を開始して排気口１８から収納部３内の熱気を排気すると共に収納部３の前開口から外部の空気を収納部３内に吸込み、家電器具１の温度を低下させ、同時に収納部３内の温度も低下させる。実施形態においては、家電器具１の表面温度が安全温度である所定温度（例えば、待機状態における家電器具１の表面温度Ｔｏである４０℃）以下となると排気ファン８の運転を停止する。
【００７２】
このように、排気ファン８を運転することで、素早く収納部３内に格納した家電器具１の温度を安全温度である所定温度以下にし、同時に収納部３内の温度も低下させて安全温度以下とする。
【００７３】
上記図４の説明では、温度検出手段１３で家電器具１の表面温度を検出し、該温度検出手段１３による検出結果に基づいて上記制御をおこなうようにした例を示したが、温度検出手段１３で収納部３内の温度を検出して上記制御をおこなうようにしてもよい。
【００７４】
なお、図４のタイムチャートにおいて２点鎖線は上記した加熱運転状態の家電器具１を載置したスライド棚２を格納する場合の収納部３内の温度（雰囲気温度）の変化を示している。この収納部３内の温度の変化に基づいて上記制御をおこなうようにしてもよい。
【００７５】
また、図４に示すタイムチャートで破線は排気ファン８がない場合の例を示している。このように排気ファン８がない場合は、通電遮断以降も家電器具１や収納部３の温度低下が極めて緩やかであり、高温による不安全不具合が長く継続するため好ましくない。
【００７６】
図５には、図３に示す制御フローにおける通常運転時に、家電器具１を引き出した状態で通電して例えば加熱運転（例えば、１０００Ｗの運転）が終り、続いて冷却用ファン１４を運転している冷却運転状態（例えば２０Ｗの運転）中にスライド棚２を収納部３に格納した場合のタイムチャートが示してある。
【００７７】
すなわち、通常運転時に、家電器具１が冷却運転状態中に格納すると、格納した時点における電流値が「低」であると検出される。
【００７８】
このように格納した時点における電流値が「低」であると検出されても、温度検出手段１３により収納部３内の温度もしくは家電器具１の表面温度が「高」と検出されることがある。図５には家電器具１の表面温度がある設定温度Ｔ１を超えている例が示してある。
【００７９】
この場合は、格納後Ｔ１を超えているのを検知した時点（図５では格納と同時）で排気ファン８を運転し、温度検出手段１３により収納部３内の温度もしくは家電器具１の表面温度が安全温度（例えばＴ０）になるとオフにする。
【００８０】
また、図５においては、通電電流（電力）検出手段１２で検出した電流（電力）により、スライド棚２を格納した時点における家電器具１の運転状態が冷却運転状態であると検出されると、図５のタイムチャートのように収納部３内の温度もしくは家電器具１の表面温度が安全温度である所定温度（例えば、温度Ｔｏである４０℃）以下となると、通電開閉手段５で家電器具１への通電を強制的に通電遮断するようにした例が示してあるが、図３の制御フローでも説明したように、この場合は、通電遮断しなくて待機状態を継続するようにしてもよい。つまり、この場合は、スライド棚２を格納した時点から家電器具への通電遮断時間を∞とする制御であり、通電遮断をすることなく待機状態となったままの状態で小電流の通電を継続するようにするのである。
【００８１】
図６には、図３に示す制御フローにおける通常運転時に、冷却用ファン１４の運転が終り、続いて待機状態（例えば２Ｗの運転）となっている際にスライド棚２を収納部３に格納した場合のタイムチャートが示してある。
【００８２】
図６においては、スライド棚２を格納した時点における収納部３内の温度が安全温度である所定温度（例えば、待機状態における収納部３内の温度Ｔｏである４０℃）以下であるため、スライド棚２を格納しても排気ファン８は運転しない。
【００８３】
また、図６においては、通電電流（電力）検出手段１２で検出した電流（電力）により、スライド棚２を格納した時点における家電器具１の運転状態が待機状態であると検出されると、図６のタイムチャートのようにスライド棚２を格納した時点から所定時間ｔ２遅延させて通電開閉手段５で家電器具１への通電を強制的に通電遮断するようにした例が示してあるが、図３の制御フローでも説明したように、この場合、上記と同様に通電遮断しなくて待機状態のまま維持するようにしてもよい。
【００８４】
また、図示は省略しているが、スライド棚２を格納した時に家電器具１の運転状態が切・通電なしの場合は、スライド棚２を格納した以降も通電遮断を継続するようになっている。
【００８５】
また、本発明の家電器具収納庫９にランプ又はブザー、あるいはこの両方よりなる報知手段１６を設け、スライド棚２を格納後、前述のように家電器具１への通電遮断をした時点で、制御手段６により報知手段１６で通電遮断を報知するように制御する。
【００８６】
すなわち、家電器具１への通電が遮断されたことを使用者に早く報知することにより、加熱調理の不完全失敗などへの注意喚起をすることができる。報知後、上記のように通電遮断された後の復帰を手動で行って再び家電器具１に通電可能とする。
【００８７】
また、スライド棚２を格納後、家電器具１への通電遮断後、再びスライド棚２が引き出された時に、報知手段１６により、通電が遮断継続された状態であることを報知することができる。この場合も、報知後、上記のように通電遮断された後の復帰を手動で行って再び家電器具１に通電可能とする。
【００８８】
これによりスライド棚２を引き出して、家電器具１を使用再開する場合に、通電復帰を促すとともに、直前までの通電遮断による調理中断失敗等に対する注意喚起としての報知ができ、より利便性が高く好適である。
【００８９】
また、上記実施形態においては、図５において通電遮断のタイミングが、温度検出手段１３で検出した収納部３内の温度もしくは家電器具１の表面温度が安全温度である所定温度（例えば、待機状態における温度Ｔｏである４０℃）となった時点、又は、所定温度以下の任意の温度となった時点としているが、通電遮断のタイミングがスライド棚２を格納して一定時間経過後の時点であってもよい。
【００９０】
また、上記実施形態においては、スライド棚２を格納した時点における家電器具１の運転状態を通電電流（電力）検出手段１２で検出した例を示したが、スライド棚２を格納した時点における収納部３内の温度もしくは家電器具１の表面温度を温度検出手段１３で検出することで、スライド棚２を格納した時点における家電器具１の運転状態を検出するようにしてもよい。
【００９１】
図３乃至図６に示す実施形態においては、加熱運転状態、保温／冷却状態、待機状態、切・通電なし状態を持った家電器具１を収納する家電器具収納庫９に対して説明したが、本発明は、加熱運転状態、保温／冷却状態、切・通電なし状態をもった家電器具１、加熱運転状態、待機状態、切・通電なし状態をもった家電器具１、加熱運転状態、切・通電なし状態をもった家電器具にも適用できるものである。
【００９２】
収納物検出手段１０としては上記例にのみ限定されず、例えば、スライド棚２の棚面の重量を検知することで収納物検知をおこなうようにしてもよい。
【００９３】
なお、図７に示す実施形態のように、スライド棚位置検知手段１１によるスライド棚２の位置検出をスライド方向の２箇所でおこなうものにおいては、簡単な構成でスライド棚２の格納、引き出しの動作認識が確実に行え、前述のスライド棚２の格納後に家電器具１への通電遮断をした時点における報知手段１６による報知や、再びスライド棚２が引き出された時に、報知手段１６により、通電が遮断継続された状態であることの報知がやり易くなる。また、本実施形態においては、引き出し位置での多少のスライド棚２の移動程度では、通電を継続させる等の使用利便性が付加できる。
【００９４】
特に、スライド棚２が中間位置にあることを検知することにより格納であるとみなすようにしたものにおいてはスライド棚２の移動をいち早く検出でき、高温の家電器具１が収納部３側に移動したことをいち早く検知でき、上記スライド棚２の格納後の通電遮断をした時点における報知手段１６による報知や、再びスライド棚２が引き出された時に、報知手段１６による、通電が遮断継続された状態であることの報知を早めることができ、また、排気ファン８の運転開始を早めることができる。また、スライド棚２が少し引き出した状態で家電器具１の運転が行われても、前述の安全制御がおこなうことができる。
【００９５】
なお、本実施形態では、発熱手段を備えた加熱調理家電器具をスライド棚２に載置してスライド棚２を収納部３内に格納する場合の安全保護手段としているが、ジューサーミキサーや電機掃除機や電気除湿機等の、回転や冷却手段を有した家電器具の収納時に、電源プラグがコンセントに差し込まれた状態で放置されても、一定時間もしくは、一定の運転状態の経過後に通電を全て遮断することができ、使用時の利便性を残しつつ安全な収納状態を提供でき、好適である。
【００９６】
いずれによっても、家電器具１の電流と収納状態の温度を監視することで、通常の家電器具運転をできる限り維持継続した後に、正規の器具停止させることで、より安全快適で且つ、家電器具１へのダメージの少ない家電器具収納庫を提供できる。
【図面の簡単な説明】
【００９７】
【図１】本発明の概略構成図である。
【図２】同上の制御ブロック図である。
【図３】は同上の制御フロー図である。
【図４】同上の家電器具運転（加熱運転状態）中にスライド棚を格納した際の一例を示すタイムチャートである。
【図５】同上の家電器具運転（冷却状態）中にスライド棚を格納した際の一例を示すタイムチャートである。
【図６】同上の家電器具運転（待機状態）中にスライド棚を格納した際の一例を示すタイムチャートである。
【図７】（ａ）（ｂ）は同上のスライド棚位置検知手段によるスライド棚を引き出した状態の検出、格納した状態の検出を示す説明図である。
【符号の説明】
【００９８】
１  家電器具
２  スライド棚
３  収納部
４  給電部
５  通電開閉手段
６  制御手段
７  使用状態検出手段
８  排気ファン
【図１】
2010131189.tif 000003
【図２】
2010131189.tif 000004
【図３】
2010131189.tif 000005
【図４】
2010131189.tif 000006
【図５】
2010131189.tif 000007
【図６】
2010131189.tif 000008
【図７】
2010131189.tif 000009